(57)【要約】【課題】  外部情報処理装置からＭＦＰで利用可能なリムーバブル記憶メディアへのアクセス要求に、ＭＦＰが持つ１機能で対応することができなかった従来システムに生じた利用性の低減化を解消する。【解決手段】  ＭＦＰ１００ｓにリモートファイルサーバ機能を搭載させ、ネットワーク接続されたクライアントＰＣ１８０からＭＦＰのリムーバブルメディア１２４ｍを含む公開ストレージに保持されたファイルをアクセス可能とする。クライアントＰＣの操作画面からのほか、リモートＧＵＩアプリ（図４に不図示）をＭＦＰに搭載することで、ＭＦＰの操作パネルに転移させたクライアントＰＣのデスクトップへの操作によってリモートファイルアクセスが可能になる。ＭＦＰで用いる各種記憶メディアへのアクセスを可能としたことにより、様々な情報の流通を可能とし、ユーザーが求める多様なニーズに応え、ＭＦＰの利用性の向上を図ることが可能になる。【選択図】      図４
2007336014.tif 000002
【特許請求の範囲】
【請求項１】
取外し可能な記憶メディアを接続するための第１のインターフェースと、
ネットワーク経由で外部情報処理装置と接続するための第２のインターフェースと、
前記第１のインターフェース及び第２のインターフェースを介して入力された情報を処理対象として、画像出力に係わる処理を行う画像処理手段を有する画像処理装置であって、
前記第２のインターフェース経由で汎用プロトコルを用いて行われる前記外部情報処理装置からのアクセス要求を受けて、前記第１のインターフェースを介して接続された前記記憶メディアにアクセスするリモートアクセス手段を備えたことを特徴とする画像処理装置。
【請求項２】
リモートＧＵＩ機能を用いて前記外部情報処理装置と通信を確立する手段を有する前記請求項１に記載された画像処理装置において、
前記リモートアクセス手段は、前記リモートＧＵＩ機能を用いて入力される、前記外部情報処理装置からのアクセス要求の設定に従って、アクセス動作を実行する手段であることを特徴とする画像処理装置。
【請求項３】
請求項１又は２に記載された画像処理装置において、
前記外部情報処理装置からのアクセス要求が、前記取外し可能な記憶メディアから前記外部情報処理装置が有する記憶部への読出しアクセスであることを特徴とする画像処理装置。
【請求項４】
請求項１乃至３のいずれかに記載された画像処理装置において、
前記外部情報処理装置からのアクセス要求が、前記外部情報処理装置から前記取外し可能な記憶メディアへの書込みアクセスであることを特徴とする画像処理装置。
【請求項５】
請求項２乃至４のいずれかに記載された画像処理装置において、
前記前記リモートＧＵＩ機能を用いることにより表示される前記外部情報処理装置からの操作画面に載せるアクセス対象の情報に、前記取外し可能な記憶メディアのフォルダ・ファイル情報を加えることを特徴とする画像処理装置。
【発明の詳細な説明】
【技術分野】
【０００１】
本発明は、印刷出力或いは外部装置へのデータ転送等の画像出力処理を行うＭＦＰ等の画像処理装置に関し、より詳細には、取外し可能な記憶メディアを接続するスロットを持つ当該画像処理装置において、取外し可能な記憶メディアをネットワーク経由で外部情報処理装置からアクセスすることを可能にするリモートアクセス機能を備えた画像処理装置に関する。
【背景技術】
【０００２】
今日、複写・ＦＡＸ・プリンタ・スキャナ等の機能を複合して持つＭＦＰ（Multi-Function Peripherals）、ネットワークプリンタ等の画像処理装置は、画像出力が可能な形式のデータとして、スキャン読取により入力されたり、外部の処理装置（例えば、ＰＣ：Personal Computer）のプリンタドライバからネットワークＩ／Ｆ経由で入力されたデータを記録媒体（記録紙）上に画像出力したり、外部の処理装置へ送信する処理を行う装置として、広く普及している。
この種の画像処理装置は、ネットワーク接続された外部のＭＦＰ、ＰＣ等の外部情報処理装置と相互にサーバ、クライアントとして機能することで、画像情報処理システムを構成する。このような画像情報処理システムを構成するＭＦＰにおいて、システムの利用性を向上させることを意図した従来技術として、下記特許文献１〜３を挙げることができる。
特許文献１には、ＭＦＰとの間で相互に文書データを転送可能とした携帯型画像表示装置が示されている。携帯型画像表示装置は、文書データの保持部を有し、ＭＦＰから転送された文書データをここに保持し、ユーザーが携帯し、運ばれた先のＭＦＰで、保持されたデータを取出し、利用する。また、ＭＦＰとＰＣ等をネットワーク接続して文書回覧システムを構成し、このシステムには、携帯型画像表示装置が保持する文書データをＭＦＰ経由でネットワーク接続したＰＣ等に送信する仕組みを備えて、ＰＣ等でのデータの利用を可能とする。
また、特許文献２には、スキャン、複写、ＦＡＸ等の複合機能を持つ画像処理装置の使用時に生成された画像情報を使用者名等の付加情報と共に、ネットワークに接続されたファイルサーバに格納し、このサーバに蓄積された情報をネットワークに接続したＰＣから再利用し得るようにしたファイリングシステムが示されている。このファイリングシステムでは、ＰＣは、ファイルサーバから得た画像に処理を加えた後、この画像の印刷出力をファイルネットワーク経由で複合機能を持つ画像処理装置に要求する、といった形態でシステムを利用する。
また、特許文献３には、リモート印刷システムとして、画像読取機能を備えた複合印刷装置同士をネットワークインターフェースで接続し、相互に依頼された印刷出力を行うシステムが示されている。また、このリモート印刷システムは、リモート出力をアカウント情報によって、部門管理（依頼主対応で管理）できるようにしている。
【０００３】
ところで、従来から、ＭＦＰには、複写・ＦＡＸ・プリンタ・スキャナ等の機能で印刷出力および送信した画像を、ＭＦＰ内部に保存しておく機能を有する。この保存には、普通、固定ストレージと呼ばれる、装置に組込まれた状態で取外しができない、比較的大容量の記憶装置であるHDD（Hard Disk Drive）、不揮発性メモリ、バックアップS-RAM等が用いられている。固定ストレージに保存した画像は、ＭＦＰの操作パネルからの指示により、紙に再出力したり、相手局ＦＡＸに再送信することができるようになっている。
また、ＭＦＰには、上記固定ストレージと違って、取外し可能な記憶メディアを用いて、外部からのデータ入力や外部へのデータ出力をこの記憶メディアを介して行う。この取外し可能な記憶メディアとしては、SD（Secure Digital）メモリカード、USB（Universal Serial Bus）メモリカード、FDD（Floppy（登録商標）Disk Drive）、MO（Magneto-Optic）等が用いられるので、ＭＦＰは、こうした記憶メディアを装着するためのスロットやインターフェースを備える。現状では、取外し可能な記憶メディアに記録・保存されている画像を用いて、直接印刷出力をしたり、装置の各種制御動作を実行するためのファームウェアの更新などの用途に利用され、ネットワークとは別ルートでデータ入出力を行うための手段としての機能を担っている。
【特許文献１】特開２００５−１７５９４２号公報
【特許文献２】特開２００２−１２７４３９号公報
【特許文献３】特開２００４−２９５３１５号公報
【発明の開示】
【発明が解決しようとする課題】
【０００４】
しかしながら、ネットワーク接続された外部のＭＦＰ、ＰＣ等の外部情報処理装置と相互にサーバ、クライアントとして機能する従来のＭＦＰ等の画像処理装置は、外部情報処理装置からの上記取外し可能な記憶メディアへのアクセス要求に対応する機能を持っていない。従って、取外し可能な記憶メディアにより持込んだ画像等のデータをＭＦＰでは、印刷出力等に利用できても、外部情報処理装置での利用ができず、利用性が低減することになる。
なお、従来システムは、外部情報処理装置からの固定ストレージへのアクセス要求に対応する機能は備えているので、取外し可能な記憶メディアのデータを固定ストレージに移す手順を行なえば、取外し可能な記憶メディアのデータの利用が可能となる。ただ、この手順で行うためには、アプリの追加が必要となるし、しかもアクセス要求を指示する際の操作性を悪化させる。
この従来システムの問題点を解決するための手段は、従来例としてあげた上記特許文献１〜３にも提案されていない。即ち、特許文献２，３は、取外し可能な記憶メディアをアクセスの対象にしていないので、ＭＦＰが有する１機能で記憶メディアへの外部情報処理装置からのアクセス要求に対応する機能についても開示が無い。また、特許文献１の携帯型画像表示装置では、ＭＦＰに接続／切り離しを可能にした当該装置内に文書データを保持するが、保持する文書データは、親機としてのＭＦＰからのみ転送されたデータであり、ＭＦＰに限らず各種画像機器により作成した画像データを持込める記憶メディアを対象にするものではない。しかも、ＭＦＰが有する１機能で記憶メディアへの外部情報処理装置からのアクセス要求に対応するものではないから、上記した従来システムの問題を残したままである。
本発明は、取外し可能な記憶メディアとの間で画像を含む各種のデータの入出力が可能であって、ネットワーク接続された外部のＭＦＰ、ＰＣ等の外部情報処理装置と相互にサーバ、クライアントとして機能するＭＦＰ等の画像処理装置において、外部情報処理装置から取外し可能な記憶メディアへのアクセス要求に、ＭＦＰが持つ１機能で対応することができなかった従来技術に生じた利用性の低減化を解消することを解決すべき課題とする。
【課題を解決するための手段】
【０００５】
請求項１の発明は、取外し可能な記憶メディアを接続するための第１のインターフェースと、ネットワーク経由で外部情報処理装置と接続するための第２のインターフェースと、前記第１のインターフェース及び第２のインターフェースを介して入力された情報を処理対象として、画像出力に係わる処理を行う画像処理手段を有する画像処理装置において、前記第２のインターフェース経由で汎用プロトコルを用いて行われる前記外部情報処理装置からのアクセス要求を受けて、前記第１のインターフェースを介して接続された前記記憶メディアにアクセスするリモートアクセス手段を備えたことを特徴とし、このようにすることによって上記課題を解決するものである。
【０００６】
請求項２の発明は、リモートＧＵＩ機能を用いて前記外部情報処理装置と通信を確立する手段を有する前記請求項１に記載された画像処理装置において、前記リモートアクセス手段は、前記リモートＧＵＩ機能を用いて入力される、前記外部情報処理装置からのアクセス要求の設定に従って、アクセス動作を実行する手段であることを特徴とし、このようにすることによって上記課題を解決するものである。
【０００７】
請求項３の発明は、請求項１又は２に記載された画像処理装置において、前記外部情報処理装置からのアクセス要求が、前記取外し可能な記憶メディアから前記外部情報処理装置が有する記憶部への読出しアクセスであることを特徴とし、このようにすることによって上記課題を解決するものである。
請求項４の発明は、請求項１乃至３のいずれかに記載された画像処理装置において、前記外部情報処理装置からのアクセス要求が、前記外部情報処理装置から前記取外し可能な記憶メディアへの書込みアクセスであることを特徴とし、このようにすることによって上記課題を解決するものである。
【０００８】
請求項５の発明は、請求項２乃至４のいずれかに記載された画像処理装置において、前記前記リモートＧＵＩ機能を用いることにより表示される前記外部情報処理装置からの操作画面に載せるアクセス対象の情報に、前記取外し可能な記憶メディアのフォルダ・ファイル情報を加えることを特徴とし、このようにすることによって上記課題を解決するものである。
【発明の効果】
【０００９】
本発明によると、ネットワーク接続されたＰＣ等の外部情報処理装置と相互にサーバ、クライアントとして機能するＭＦＰ等の画像処理装置において、画像処理装置のスロットに取外し可能に接続される記憶メディアへの外部情報処理装置からのリモートアクセスを可能にすることで、従来システム（上記［発明が解決し様とする課題］の項、参照）に比べ容易にアクセスが行え、しかも取外し可能な記憶メディアを介して行う情報の転送ルートの増設により、多様な情報の流通を可能とするので、画像処理装置の利用性の向上を図ることが可能になる。
また、リモートアクセスを読出し／書込みアクセスとすることで、クライアント側に転送した画像を修正等の加工をした後、再び取外し可能な記憶メディアに書き戻すことができるので、さらに利用性を高めることが可能になる（請求項３，４）。
また、リモートＧＵＩ機能により表示される操作画面に載せるアクセス対象の情報として、取外し可能な記憶メディアのフォルダ・ファイル情報を加えることで、サーバ側の操作部からユーザーが求める転送先へ該記憶メディアのリモートアクセス操作を行うことが可能になり、多様な情報の流通を可能とするので、画像処理装置の利用性の向上を図ることが可能になる（請求項２，５）。
【発明を実施するための最良の形態】
【００１０】
以下に、本発明の画像処理装置に係わる実施形態として、ＭＦＰを実施装置とした例を示す。
本実施形態のＭＦＰは、コピー・ＦＡＸ・プリンタ・スキャナ等の複合機能を提供し、これらの機能によって生成される画像出力用データをもとに、プリント出力、或いは外部装置（ＰＣ、ファクシミリ装置等）へのデータ転送等の画像出力処理を行う。
この画像出力処理には、既存のＭＦＰと同様に、本体の操作パネルから指示されるコピー、ＦＡＸ送信、スキャナ配信等のジョブ以外に、ネットワークＩ／Ｆを介して外部機から指示される、プリンタ、ＦＡＸ受信等のジョブの処理を含む。
また、本実施形態のＭＦＰは、ネットワークとは別ルートで外部からのデータ入力や外部へのデータ出力を行うための手段として、取外し可能な（リムーバブル）記憶メディアを接続するインターフェースを備え、この記憶メディアに記録・保存されているデータを用いて、印刷出力や、各種制御動作を実行するためのファームウェアの更新などの用途に利用する。
本実施形態のＭＦＰでは、上記した既存のＭＦＰが備える機能のほかに、特に、取外し可能な記憶メディアに係わる機能として、取外し可能な記憶メディアへの外部情報処理装置からのアクセス要求に対応し、この記憶メディアの保存情報を送受信する機能を備える。この機能は、外部情報処理装置からネットワークＩ／Ｆを介してＭＦＰが有するストレージへのアクセスを行うことを可能とする機能（以下「リモートファイルサーバ機能」という）の１つとして実現する。
【００１１】
つまり、ネットワーク経由で行われる、HDD等の固定ストレージと、取外し可能なSDカード等のリムーバブルストレージへのアクセス要求を１機能で対応し得るようにする。
なお、外部情報処理装置としては、下記実施例ではＰＣをクライアント機とするが、この例に限らず、ＭＦＰやネットワークプリンタのような画像処理装置であっても良い。
このリモートファイルサーバ機能を備えることにより、従来システムにおいて、取外し可能な記憶メディアへのアクセスを可能にしたとしても、生じたであろう操作性の悪さ（上記［発明が解決しようとする課題］の項、参照）を解消し、利便性を向上させ、取外し可能な記憶メディアのデータの流通による装置の利用性の向上を図ることが可能になる。
ところで、発明の課題を解決するための手段として設ける上記したリモートファイルサーバ機能は、ハードウェア構成として確立している既存の技術をベースに、ソフトウェア構成を新たに構築することによって、実現が可能である。
そこで、ここでは、既存のＭＦＰにおけるハードウェアの構成の変更を必要とせず、メインコントローラのソフトウェア構成により上記リモートファイルサーバ機能を備えるようにした実施装置例を説明する。なお、以下に示す実施装置は、あくまでも実施可能な例として、ソフトウェア構成によって構築する形態を示すものであり、新たなハードウェア構成により本発明を実施しても良く、ソフトウェア構成による実施例に限定する趣旨ではない。
【００１２】
図１は、本実施形態に係わるＭＦＰのハードウェア構成の概要を示す。
図１において、ＭＦＰ１００は、原稿画像を読取るスキャナ１３２と、画像情報をもとに記録媒体へプリント出力を行うプロッタ１３４と、外部装置（ＰＣ或いは同種のＭＦＰ、ファクシミリ装置等）とネットワークを介して交信するためのネットワークＩ／Ｆ１７０と、ＧＵＩ（Graphical User Interface）を通じてユーザの操作によるジョブの処理要求や実行指示を受付け、ジョブの実行状況をユーザに知らせる操作パネル１５０と、処理に必要な各種データを格納するストレージ１２０を有する。
ストレージ１２０は、HDD等の固定ストレージ１２２とメモリカード等のリムーバブルストレージ１２４よりなり、固定ストレージ１２２には、処理した文書・画像データを再利用が可能な所定の形式のデータとして蓄積したり、制御プログラム等の制御情報が格納される。
また、リムーバブルストレージ１２４には、外部の情報機器（例えば、デジタルカメラ、ＰＣ等）で作成され、記憶メディアに保存された形で持込まれ、印刷出力用のデータや、ＭＦＰの各種制御動作を実行するためのファームウェア等の各種データが格納される。なお、リムーバブルストレージ１２４の取外し可能な記憶メディアとしては、SDメモリカード、USBメモリカード、FDD、MO等が用いられるので、ＭＦＰは、こうした記憶メディアを装着するためのスロットやインターフェースを備える。
固定ストレージ１２２及びリムーバブルストレージ１２４に格納されたこれらのデータは、外部情報処理装置からの取得要求の対象として、後記で詳述するリモートファイルサーバ機能により対応可能とする。
ＭＦＰ１００は、制御回路を搭載する制御基板として、装置全体を制御するメインコントローラとして機能する制御基板１１０と、メインコントローラの制御の下にスキャナ１３２、プロッタ１３４を制御する制御基板１３０を有する。後記（図４、参照）で詳述するリモートファイルサーバ機能は、制御基板１１０に搭載され、ＰＣや他のＭＦＰから取外し可能な記憶メディアを含むストレージ１２０で保持している各種データへのアクセス要求に対応した動作を行う。
【００１３】
図２は、メインコントローラとして機能する制御基板１１０内のソフトウェア構成を示す。なお、図２には、本実施形態のリモートファイルサーバ機能に係わる要部の構成を示す。
メインコントローラとして機能する制御基板１１０内のソフトウェアは、既存のＭＦＰに採用されている構成を前提に、本実施形態で新たに必要となる機能を実現する要素を付加し、構築されている。
前提とするＭＦＰのソフトウェア構成は、ＯＳ（Operating System）層２３０とミドルウェア層２２０とアプリケーション層２１０の３階層よりなるソフトウェア群よりなる。
アプリケーション層２１０のコピー・アプリ２１１，プリンタ・アプリ２１２，ファクス・アプリ２１３，スキャナ・アプリ２１４等のアプリは、ＭＦＰに備わるこれらの処理機能が利用される際に、各アプリのＵＩ（User Interface）の画面制御、キー操作制御及びジョブ生成などアプリ固有の処理を行う画面表示制御プログラムがその主体となる。
また、ＯＳ層２３０とミドルウェア層２２０は、アプリからの処理要求を解釈してハードウェア資源の獲得要求を発生させ、又ハードウェア資源を管理するために、各アプリで共通に必要となる処理を一元的に扱う。このために、ミドルウェア層２２０内にコントロールサービス（不図示）、システムリソースマネージャー（不図示）と、ＯＳ層２３０を有する。なお、ここで前提とするＭＦＰのソフトウェア構成の詳細は、例えば、特開２００４−７３４６号公報（同公報の図１、参照）、特開２００４−７３４６号公報（同公報の図１、参照）に記載されているので、これらの記載を参照することとする。
リモートファイルサーバ機能を実現するためのソフトウェアとして、アプリケーション層２１０にリモートＧＵＩ・アプリ２１５とリモートファイル・サーバ・アプリ２１６が実装される。これらのアプリは、外部情報処理装置としてのＰＣや他のＭＦＰからネットワーク経由で行われる、ＭＦＰが有するストレージへのアクセス要求に対応する処理を行う。リモートＧＵＩ・アプリ２１５は、一般的には、ＧＵＩベースでリモートマシンのデスクトップを操作可能とするリモート・デスクトップ・プログラムと呼ばれると同種のソフトウェアである。後記「実施形態２」にて、リモートＧＵＩ・アプリ２１５を使用した実施例を示す。
また、リモートファイルサーバ機能による動作を行うときに、関連動作として行うユーザー認証は、ミドルウェア層２２０に実装した認証モジュール２２３により行われる。
【００１４】
上記した画像処理装置（図１，２）に搭載されたリモートファイルサーバ機能について、以下に示す「実施形態１」、「実施形態２」にもとづいて詳細に説明する。
「実施形態１」
この実施形態は、クライアントＰＣ（外部情報処理装置）からＭＦＰが有するストレージをアクセスする際に、ユーザーがリモート位置にあるクライアントＰＣへアクセス要求の操作を行うことによって、実行可能とした形態の実施例を示す。
ユーザーがクライアントＰＣへの入力操作によってアクセス要求をする、という点で、従来、ＭＦＰが有するＨＤＤ等の固定ストレージへのアクセスを要求したときと同じ手順を採用することができる。ただ、本案で搭載されるリモートファイルサーバ機能は、取外し可能な記憶メディアを含むリムーバブルストレージ１２４に対してもアクセスを可能にし、固定ストレージ１２２及びリムーバブルストレージ１２４を同じ手順の中で、ユーザーの操作により選択することを可能にする。
以下の実施形態には、取外し可能な記憶メディアをアクセスする場合の動作例により、上記した本案のリモートファイルサーバ機能を説明する。
【００１５】
図３及び図４は、本実施形態のリモートファイルサーバ機能により行われるアクセス動作例を示すものである。
図３は、クライアントとなるＰＣからサーバとなるＭＦＰに対するアクセスを要求する際の動作イベントの遷移を示すものである。図３において、アクセス動作のシーケンスは、図中の (1) → (11) の順で実行される。
また、図４は、クライアントとなるＰＣ１８０からネットワーク１９０を通じて、サーバとなるＭＦＰ１００ｓのリムーバブルメディア１２４ｍをアクセスする際の処理フローとして、図３に示した動作シーケンス実行時におけるクライアントＰＣ１８０とサーバＭＦＰ１００ｓ間の情報の流れを示すものである。なお、図４中の情報の流れを示す矢印には、図３中の動作シーケンスに対応付けて、シーケンス順を表す番号 (1) 〜 (11) を付す。
以下に、図３に示す動作イベントの遷移を参照して、リムーバブルメディア１２４ｍへのアクセス動作を説明する。
シーケンス (1)：先ず、クライアントＰＣ１８０は、リモートファイルサーバ機能を備えたサーバＭＦＰ１００ｓに、ネットワークＩ／Ｆ１７０を介して、ブラウズ要求を行う（イベントEv１０１）と、サーバＭＦＰ１００ｓのリモートファイル・サーバ・アプリ２１６は、このブラウズ要求を受けて、コンピュータ名（：Mymfp01）を付して、ブラウズ応答を返す（イベントEv１０２）。
シーケンス (2)：次に、クライアントＰＣ１８０は、コンピュータ名（：Mymfp01）を特定して、サーバＭＦＰ１００ｓにアクセスの対象となるリソース名を要求する（イベントEv１０３）。サーバＭＦＰ１００ｓは、このブラウズ要求を受けて、アクセスの対象として、接続するリソース名（：share）を付して、リソース名応答を返す（イベントEv１０４）。
シーケンス (3)：次に、クライアントＰＣ１８０は、アクセスの対象として、接続要求をするサーバＭＦＰ１００ｓにプロトコルネゴシエーション要求を行う（イベントEv１０５）と、サーバＭＦＰ１００ｓは、この要求が適うことを確認し、その応答として、接続に必要なセッションセットアップ用画面を返す（イベントEv１０６）。
【００１６】
シーケンス (4)：次に、クライアントＰＣ１８０は、ユーザーによって入力されたユーザー認証に必要なユーザーＩＤ／パスワード等のデータを付して、セッションセットアップの手続を行う（イベントEv１０７）。この手続を受け、サーバＭＦＰ１００ｓは、ユーザー認証を行い（イベントEv１０８，１０９）、認証を得たことを条件に、セッションセットアップ応答をクライアントＭＦＰ１００ｃに返す（イベントEv１１０）。このとき、ユーザー認証は、リモートアクセス機能の一環として行われるので、リモートファイル・サーバ・アプリ２１６が受取ったユーザーＩＤ／パスワード等を付した認証要求を認証モジュール２２３に行い（イベントEv１０８）、認証結果をそこからの認証応答として得る（イベントEv１０９）。
なお、ユーザー認証に失敗した場合には、認証結果をエラーメッセージの表示として、クライアントＰＣ１８０からユーザーに知らせる。また、ユーザー認証に失敗した場合にユーザーＩＤ／パスワード等の再入力を促す画面の表示で対応する方法を採用することにより、偶発するエラーを防ぐことを可能にしても良い。
シーケンス (5)：次に、セッションセットアップを受けて、クライアントＰＣ１８０は、シーケンス (2)で得たリソース（\\Mymfp01\ share）を特定して、そのリソースへの接続要求を行う（イベントEv１１１）と、サーバＭＦＰ１００ｓは、この接続要求を受けて、リソース接続応答を返す（イベントEv１１２）。
シーケンス (6)：次に、リソース接続応答を受けて、クライアントＰＣ１８０は、先のシーケンス (4) でユーザー名（“user01”とする）を登録しているので、“user01”を含め、リソース（\\Mymfp01\ share）に存在するアクセスが可能なフォルダの情報を問い合せる（イベントEv１１３）。サーバＭＦＰ１００ｓは、この問合わせを受けて、アクセスが可能なフォルダが存在すれば、そのフォルダ名をフォルダ情報の応答として返す（イベントEv１１４）。
【００１７】
このときに、クライアントＰＣ１８０では、サーバＭＦＰ１００ｓから返されてくるフォルダ情報の応答を受け、リモートアクセス機能を利用するための操作画面（図示せず）が開かれ、その画面にフォルダ情報の応答から得られるフォルダ名を表示する。
図５は、公開されるストレージのフォルダ構成の１例を示すものである。本案では、固定ストレージ１２２及びリムーバブルストレージ１２４を公開の対象としているので、図５の例に示すように、それぞれのストレージのフォルダ構成を掲示する。即ち、操作画面には、HDD等の固定ストレージ１２２にユーザー固有のフォルダとして格納された、ＭＦＰに搭載されているアプリケーション分の複数のフォルダ（ここでは、フォルダ：Copier，Fax，Printer，・・等）と、リムーバブルストレージ１２４に格納された、各記憶メディアに対応する数のフォルダ（ここでは、フォルダ：slot1，slot2，slot3，・・等）を表示する。
図５により例示された公開ストレージのフォルダ構成の場合、シーケンス (6)において、リモートアクセス機能を利用するためにクライアントＰＣ１８０に開かれる操作画面には、存在が確認されたユーザー固有のフォルダ：user01に加え、リムーバブルストレージの各記憶メディアのフォルダ名（user01，slot1，slot2，slot3）が示されるので、その中からユーザーはアクセスを求めるファイルの入ったフォルダを探す。
シーケンス (7)：アクセスしようとするファイルを特定するためには、フォルダ名として示された（user01，slot1，slot2，slot3）からアクセスを求めるファイルの入ったフォルダを選択し、その中味を知るファイル情報がさらに必要であり、その手順として、クライアントＰＣ１８０は、選択したフォルダを特定して、フォルダの構成を示すファイル情報の取得要求を行う（イベントEv１１５）。ここでは、リムーバブルストレージ１２４に格納された、取外し可能な記憶メディア１２４ｍのフォルダ（\\Mymfp01\ share\ slot1）を指示している。
サーバＭＦＰ１００ｓは、このファイル情報の取得要求を受けて、取外し可能な記憶メディア１２４ｍのフォルダ：slot1に入っているファイル名（photo01.jpeg，photo02.jpeg，photo03.jpeg ）等を示すファイル情報の応答を返す（イベントEv１１８）。
ただ、このファイル名等の書誌情報は、各ファイルの文書・画像データが格納された取外し可能な記憶メディア１２４ｍに格納されているので、記憶メディア１２４ｍをアクセスする必要がある。即ち、クライアントＰＣ１８０からフォルダ：slot1のファイル情報の取得要求を受けるリモートファイル・サーバ・アプリ２１６は、記憶メディア１２４ｍに、この取得要求を行う（イベントEv１１６）。記憶メディア１２４ｍは、この取得要求を受け、ファイル名（photo01.jpeg，photo02.jpeg，photo03.jpeg ）等を示すファイル情報を読出し、取得要求に対する応答として、リモートファイル・サーバ・アプリ２１６に読出したこのファイル情報を渡す（イベントEv１１７）。
【００１８】
シーケンス (8)：取得したファイル名（photo01.jpeg，photo02.jpeg，photo03.jpeg ）等を示すファイル情報をもとに、ユーザーによってアクセスを求めるファイル名（photo01.jpeg）が指示されると、クライアントＰＣ１８０は、ファイル（\\Mymfp01\ share\ slot1\ photo01.jpeg）を特定して、アクセスの手順として、先ず、このファイルのオープンを要求する（イベントEv１１９）。このファイルは、取外し可能な記憶メディア１２４ｍに格納されているので、クライアントＰＣ１８０からファイルのオープン要求を受けるリモートファイル・サーバ・アプリ２１６は、記憶メディア１２４ｍにオープンの可否を問い（イベントEv１２０）、その結果を応答により得る（イベントEv１２１）。オープンが可能であれば、この応答結果を得たリモートファイル・サーバ・アプリ２１６は、この応答をクライアントＰＣ１８０に返す（イベントEv１２２）。
シーケンス (9)：ファイルのオープンが可能であるとの応答を得たクライアントＰＣ１８０は、次に、該当するファイルのReadアクセスを要求する（イベントEv１２３）。Readアクセス時には、ファイルオープンの要求と同じルートで、クライアントＰＣ１８０からファイルのRead要求を受けるリモートファイル・サーバ・アプリ２１６は、記憶メディア１２４ｍにRead要求を行い（イベントEv１２４）、この要求を受けて記憶メディア１２４ｍでファイルReadをスタートさせた時に、記憶メディア１２４ｍからくるファイルReadの応答をクライアントＰＣ１８０に返す（イベントEv１２５，１２６）。また、リモートファイル・サーバ・アプリ２１６は、記憶メディア１２４ｍでファイルReadを行い、読出されたファイルデータを受取り（イベントEv１２７）、クライアントＰＣ１８０に送る（イベントEv１２８）。この後、クライアントＰＣ１８０は、サーバＭＦＰ１００ｓから渡されるファイルデータを受取り、所定の記憶場所に受取ったファイルデータを格納することで、転送処理を終え、ファイルReadが完了したことを確認して、完了をリモートファイル・サーバ・アプリ２１６経由で記憶メディア１２４ｍに通知する（イベントEv１２９，１３０）。なお、クライアントＰＣ１８０側では、受取ったファイルデータを用いて行う、プリント出力や送信出力処理を継続して実行するような機能を備えるようにしても良い。
【００１９】
シーケンス (10)：このリモートアクセス機能の動作シーケンスでは、Readアクセス（シーケンス (9)）によりサーバＭＦＰ１００ｓから得たファイルデータに何らかの処理を加えた後のデータをサーバＭＦＰ１００ｓのストレージ１２０に書戻すことを可能にしており、このために、このシーケンスを設けている。
ユーザーによりファイルデータの書戻しを指示されたクライアントＰＣ１８０は、当該ファイルのWriteを要求する（イベントEv１４１）。クライアントＰＣ１８０からファイルのWrite要求を受取るリモートファイル・サーバ・アプリ２１６は、対象ファイルが保存されている記憶メディア１２４ｍにWrite要求を行う（イベントEv１４２）。次いで、この要求を受ける用意が整っていることを確認したリモートファイル・サーバ・アプリ２１６からの応答が、クライアントＰＣ１８０に返される（イベントEv１４３，１４４）。ファイルのWrite OKを受取るクライアントＰＣ１８０は、書戻すファイルデータをリモートファイル・サーバ・アプリ２１６に送る（イベントEv１４５）。リモートファイル・サーバ・アプリ２１６は、受取ったファイルデータを、対象ファイルが保存されている記憶メディア１２４ｍにファイルWriteを指示して、送り込む（イベントEv１４６）。記憶メディア１２４ｍは、受取ったファイルデータによるファイルWriteが完了したことを確認して、この完了をリモートファイル・サーバ・アプリ２１６経由でクライアントＰＣ１８０に通知する（イベントEv１４７，１４８）。
シーケンス (11)：次に、クライアントＰＣ１８０は、シーケンス (8) でオープンしたファイル（\\Mymfp01\ share\ slot1\ photo01.jpeg）をクローズする処理を行う。クローズの手順として、先ず、このファイルを特定して、クローズを要求する（イベントEv１５１）。クライアントＰＣ１８０からファイルのクローズ要求を受けとるリモートファイル・サーバ・アプリ２１６は、当該ファイルを保存している取外し可能な記憶メディア１２４ｍにクローズの可否を問い（イベントEv１５２）、その結果を応答により得る（イベントEv１５３）。クローズが可能である、との応答結果を得たリモートファイル・サーバ・アプリ２１６は、この応答をクライアントＰＣ１８０に返す（イベントEv１５４）。なお、シーケンス (11)のファイルのクローズ処理は、シーケンス (10)が不要であれば、Readアクセス（シーケンス (9)）に続けて行う。
【００２０】
「実施形態２」
この実施形態は、上記した画像処理装置（図１，２）に搭載されたリモートファイルサーバ機能に係わる他の実施形態として、リモートＧＵＩ機能を利用した形態を示す。
ＭＦＰ１００のストレージ１２０にリモート位置にあるクライアントＰＣからアクセスする際、クライアントＰＣは、上記「実施形態１」に示したように、接続したＭＦＰ１００に搭載したリモートファイル・サーバ・アプリ２１６との間で、該アプリによって定められる手順に従って、アクセスに必要な情報の授受を行う。このとき、クライアントＰＣ側からの情報の発信は、アクセス要求をするユーザーの入力操作による。
上記「実施形態１」では、ユーザーにより行うアクセス要求に必要となる入力操作は、リモート位置にあるクライアントＰＣから行うようにしている。本実施形態では、ユーザーによるこの入力操作をサーバのＭＦＰ１００側の操作パネル１５０から行えるようにし、そのための機能として、リモートＧＵＩ機能をＭＦＰ１００に搭載する。
リモートＧＵＩ機能の搭載により、上記「実施形態１」に例示したような、取外し可能な記憶メディア１２４ｍをリモートアクセスできるリモートファイルサーバ機能と相俟って、様々な形態でＭＦＰ１００のストレージ１２０をアクセスし、アクセスしたデータを転送先のクライアントＰＣで利用する等の動作が実現可能となり、ユーザーが求める多様なニーズに応えることが可能になる。
なお、後記で図８及び図９を参照して、リモートＧＵＩ機能を用いることにより、クライアントＰＣから取外し可能な記憶メディア１２４ｍのデータをリモートアクセスする利用例を説明する。
【００２１】
ＭＦＰ１００は、リモートＧＵＩ機能を実現する手段として、制御基板１１０内に搭載するソフトウェア群中にリモートＧＵＩアプリ２１５を備える。リモートＧＵＩアプリ２１５は、メインコントローラとして機能する制御基板１１０のソフトウェア構成（図２）におけるアプリケーション層２１０の１アプリをなす。
リモートＧＵＩ・アプリ２１５は、ＧＵＩベースでリモートマシンのデスクトップを操作可能とするソフトウェアで、一般的には、リモート・デスクトップ・プログラムと呼ばれると同種類のソフトウェアである。ＭＦＰ１００は、ユーザーの指示に従い、搭載したリモートＧＵＩ・アプリ２１５を起動し、指定したリモートマシン（クライアントＰＣ）に接続すると、接続したクライアントＰＣのデスクトップをＭＦＰ１００の操作パネル１５０のＧＵＩ操作画面として転移させ、クライアントＰＣのデスクトップで行うと同じ入力操作をＭＦＰ１００の操作パネル１５０のＧＵＩ操作画面上で行うことを可能にする。
図６は、リモートＧＵＩ・アプリを起動し、リモートマシン（クライアントＰＣ）のデスクトップ画面をセットアップする際の操作パネルにおける操作画面の遷移を示している。
図６中の（Ａ）は、リモートＧＵＩ起動時に操作パネル１５０のＬＣＤタッチパネル方式のＧＵＩ操作画面１５２ａに開かれる画面の１例を示す。このリモートＧＵＩ起動時の画面は、リモートＧＵＩを設定するための操作キー（不図示）がユーザーによって操作されたときに開かれる画面である。
なお、ＭＦＰ１００でリモートＧＵＩを設定するための操作キーは、操作パネル１５０のパネル面或いはＧＵＩ操作画面に「リモートＧＵＩ」専用の操作キーとして設け、この操作キーへのユーザーの操作により、リモートＧＵＩ・アプリ２１５が起動され、初期画面として図６（Ａ）に示す画面を開く、といった方法で、実施することができる。
【００２２】
図６（Ａ）のリモートＧＵＩ起動時の画面１５２ａには、この機能を用いて接続するクライアントＰＣのコンピュータ名の入力スペースが設けられているので、ここに接続するクライアントＰＣのコンピュータ名を入力し、接続キーを操作することにより、接続の手続を行う。
図６中の（Ｂ）は、図６（Ａ）のリモートＧＵＩ起動時の画面において、クライアントＰＣへの接続の手続を行い、通信が確立した後に表示されるログイン画面１５２ａを示している。
図６（Ｂ）のログイン画面には、クライアントＰＣにログインし、リモートＧＵＩ機能を用いた操作をすることが許可されているユーザーであるか、否かを確認するユーザー認証の手続を行うための画面が用意されている。図６（Ｂ）に示すログイン画面１５２ａの例では、ユーザー名及びパスワードの入力を求め、そのための入力スペースが設けられているので、ユーザーはこのデータ入力を行い、ＯＫボタンを操作する。なお、ユーザー認証に必要なデータの入力は、ＰＣで採用されている方法に従うので、ＭＦＰ１００側に備えたユーザー認証装置をＰＣで採用している認証方法に適合させる必要がある。
図６中の（Ｃ）は、図６（Ｂ）のログイン画面において、ユーザー認証の手続を行った後、ユーザーが認証され、ログインが完了した時に表示されるデスクトップ画面１５２ａを示している。
図６（Ｃ）のデスクトップ画面には、クライアントＰＣのデスクトップを操作パネル１５０のＧＵＩ操作画面１５２ａに転移させ、クライアントＰＣのデスクトップで行うと同じ入力操作をＭＦＰ１００側で行うことを可能にする。クライアントＰＣのデスクトップには、ＰＣからアクセス可能なフォルダの１つとしてリモートマシンのフォルダにアクセスするためのキー等が表示されているので、このキー等への操作により、ＭＦＰ１００のストレージ１２０をアクセスするための手順を実行することができる。
なお、ＭＦＰ１００の操作パネル１５０に転移させたリモートＧＵＩ画面１５２ａから行うＭＦＰ１００へのアクセス要求は、この要求に応じるＭＦＰ１００のリモートファイルサーバ機能にとっては、上記「実施形態１」でリモート位置にあるクライアントＰＣのデスクトップから行われたアクセス要求と変わりが無く、同じ対応でアクセス動作を行う。従って、図６（Ｃ）のデスクトップ画面への操作によって行われる、ＭＦＰ１００へのアクセス要求に対応するアクセス動作については、上記「実施形態１」に図３及び図４に基づいて示した動作説明を参照することとし、ここでは記載を省略する。
【００２３】
ここで、上記したリモートＧＵＩ機能に付属し、アクセス要求を行うユーザーの操作を容易にするためのリモートＧＵＩ画面の表示機能に係わる実施形態を示す。
上記のように、リモートＧＵＩ機能によってＭＦＰ１００のＧＵＩ操作画面１５２ａにリモートマシンであるクライアントＰＣのデスクトップを表示し、デスクトップへの操作を行う場合、ＭＦＰ１００のストレージ１２０に保存されたファイルデータを用いるために、ストレージ１２０をアクセスするケースが少なくない。
そこで、リモートＧＵＩ機能を用いるときに表示されるデスクトップの画面に、「ＭＦＰフォルダ」をショートカットとして載せ、表示する。
この「ＭＦＰフォルダ」のデスクトップ画面への表示は、リモートＧＵＩ機能を用いてＭＦＰ１００がクライアントＰＣに接続したときだけで、クライアントＰＣが通常用いるデスクトップには、この表示は行わない。従って、ＭＦＰ１００がリモートＧＵＩ機能を用いてクライアントＰＣとの接続を確立した後、表示するクライアントＰＣのデスクトップの画面に、ＭＦＰフォルダをショートカットとして表示し、表示されたＭＦＰフォルダへのユーザー操作があると、ＭＦＰ１００のストレージ１２０に保存されたファイルへのアクセス要求を行うための操作画面を呼び出し、画面を切替えるようにする。
図７は、リモートＧＵＩ接続をする前（Ａ）と後（Ｂ）におけるデスクトップ画面の表示状態を示すものである。
図７中の（Ａ）は、クライアントＰＣが通常用いるデスクトップ画面１８８を示す。このデスクトップ画面１８８には、常時表示される、設定用のショートカット１８８ｓ、フォルダ１のショートカット１８８ｆ、アプリケーションのショートカット１８８ｓ等を載せている。
他方、図７中の（Ｂ）は、クライアントＰＣへリモートＧＵＩ接続が行われた時に用いるデスクトップ画面１８８を示す。このデスクトップ画面１８８には、常時表示される、設定用のショートカット１８８ｓ、フォルダ１のショートカット１８８ｆ、アプリケーションのショートカット１８８ｓ等に加え、リモートＧＵＩ接続中にだけ表示するＭＦＰフォルダのショートカット１８８ｍを載せている。
ここで、ＭＦＰフォルダのショートカット１８８ｍへユーザー操作があると、公開可能なストレージのフォルダ構成として、このユーザーに固有のフォルダ、リムーバブルストレージの各記憶メディアのフォルダが表示される（図５参照）。
図７中の（Ａ）⇔（Ｂ）に示されるデスクトップ画面の表示状態の変化は、リモートＧＵＩ接続で（Ａ）の表示状態になり、リモートＧＵＩ切断で（Ｂ）の表示状態に自動的に変わるようにする。
【００２４】
次に、リモートＧＵＩ機能を用いて行うリモートファイルサーバとしてのＭＦＰの利用例を説明する。
“利用例 (1) ”
この利用例は、ＭＦＰに接続可能なリムーバブルメディアを使用して、クライアントＰＣへのデータ転送に利用する例を示すものである。
本例では、リムーバブルメディアを用いるボイスレコーダにより録音した音声データを本案のＭＦＰによりユーザーが指定するリモート位置のＰＣに保存する動作を行う。従って、ボイスレコーダ、本案のＭＦＰ、該ＭＦＰにネットワーク接続されたクライアントＰＣとからなる情報システムをデータが流れる。
また、ＭＦＰのファイルアクセスをクライアントＰＣから行わせる際に、リモートＧＵＩ機能が用いられ、ユーザーは、出先に置かれたＭＦＰからリモートＧＵＩ操作によって、ＰＣに音声データを送り、保存する。
図８は、この利用例におけるデータの流れに従って行われる情報システムの動作状況を説明する図である。図８において、動作は (1) → (9) の順に進行する。
以下に、図８に示す動作順に従い、この利用例の動作を説明する。
動作 (1)：先ず、会議等で交わされる会話をボイスレコーダ３１０で録音する。録音した音声データは、ボイスレコーダ３１０に接続された取外し可能な（リムーバブル）メディア１２４ｍに記録される。
動作 (2)：会議が終わった後、ユーザーは、録音したデータをオフィスで用いることから、そのための確実な方法として、オフィスで使用するＰＣ１８０にこのデータを保存させることができる本案のＭＦＰ１００を利用することを思い立ち、録音されたリムーバブルメディア１２４ｍを持って、ＭＦＰ１００に向かう。
【００２５】
動作 (3)：利用するＭＦＰ１００は、リモートファイルサーバとして機能させるので、クライアントＰＣからのファイルアクセス要求を行う。このアクセス要求をＭＦＰ１００の操作パネル１５０のＧＵＩ操作によって行うためには、リモートＧＵＩ機能を起動させる必要があるので、ユーザーはそのための操作を行う。ＭＦＰ１００は、このユーザー操作に応じ、クライアントであるＰＣ１８０とリモートＧＵＩ接続を確立する。
動作 (4)：ＭＦＰ１００とのリモートＧＵＩ接続を受けるＰＣ１８０は、ＭＦＰ１００におけるリモートアクセスの対象となるリムーバブルメディア１２４ｍへのアクセスに備えて、ＭＦＰ１００のリムーバブルドライブ１６０に自動接続する。
動作 (5)：ユーザーは、録音した音声データのファイルが入ったリムーバブルメディア１２４ｍをＭＦＰ１００のリムーバブルドライブ１６０のスロット１６０ｓにセットする。
動作 (6)：ユーザーは、リムーバブルメディア１２４ｍの音声データファイルを対象とするリモートアクセス要求を操作パネル１５０のリモートＧＵＩ画面（ＰＣ１８０のデスクトップ操作画面）で行う。この操作により行うリモートアクセスは、ＰＣ１８０の指定した記憶場所にリムーバブルメディア１２４ｍから読出した音声データファイルを複製（コピー）するアクセスとなる。
動作 (7)：ユーザーは、ＰＣ１８０における音声データファイルのコピーの完了をリモートＧＵＩ画面で確認した後、リムーバブルメディア１２４ｍをリムーバブルドライブ１６０のスロット１６０ｓから取出す。リムーバブルメディア１２４ｍのアンロードを受けて、ＰＣ１８０は、リモートアクセス動作を終了する。
動作 (8)：ユーザーは、操作パネル１５０のリモートＧＵＩ画面でＰＣ１８０のリモートアクセス動作の終了を確認して、リモートＧＵＩ機能を切断する操作をＭＦＰ１００の操作パネル１５０から行う。この操作に応じて、ＰＣ１８０とのリモートＧＵＩ接続を切断し、ＰＣ１８０のリムーバブルドライブ１６０への接続を断つ。
動作 (9)：ユーザーは、オフィスに戻ると、オフィスで使用するＰＣ１８０に出先のＭＦＰ１００で行ったリモートファイルアクセスで、リムーバブルメディア１２４ｍから読出した音声データファイルが指定した記憶場所にコピーされているので、この音声データファイルを利用することができる。
本案のＭＦＰを利用した上記の動作によって、リムーバブルメディア１２４ｍの搬送によらずに、出先で取得したデータをＰＣ１８０で用いることができる。
【００２６】
“利用例 (2) ”
この利用例は、ＭＦＰに接続可能なリムーバブルメディアを使用して、クライアントＰＣへのデータ転送に利用するという点で上記利用例 (1) と同様の例を示すものである。
ただ、転送するデータが音声であった利用例 (2) とは違い、本例では、デジタルカメラにより撮影した画像データを本案のＭＦＰによりユーザーが指定するリモート位置のＰＣに保存する動作を行う。従って、デジタルカメラ、本案のＭＦＰ、該ＭＦＰにネットワーク接続されたクライアントＰＣとからなる情報システムをデータが流れる。
また、ＭＦＰのファイルアクセスをクライアントＰＣから行わせる際に、リモートＧＵＩ機能が用いられ、ユーザーは、出先に置かれたＭＦＰからリモートＧＵＩ操作によって、ＰＣに画像データを送り、保存する。
図９は、この利用例におけるデータの流れに従って行われる情報システムの動作状況を説明する図である。図９において、動作は (1) → (11) の順に進行する。
以下に、図９に示す動作順に従い、この利用例の動作を説明する。
動作 (1)：ユーザーは、発表会等で用いられた掲示物をデジタルカメラで撮り、画像データとして記録しておくと便利と考えたが、カメラを持っていなかったので、出先のカメラ３２０を借用し、用意する。
動作 (2)：ユーザーは、被写体である掲示物をデジタルカメラ３２０で撮る。撮った画像データは、デジタルカメラ３２０に内蔵された記憶メディアに記録される。
動作 (3)：撮影後、ユーザーは、撮った画像データをオフィスで用いることから、そのための確実な方法として、オフィスで使用するＰＣ１８０にこのデータを保存させることができる本案のＭＦＰ１００を利用することを思い立ち、録画したデジタルカメラ３２０を持って、ＭＦＰ１００に向かう。
【００２７】
動作 (4)：利用するＭＦＰ１００は、リモートファイルサーバとして機能させるので、クライアントＰＣからのファイルアクセス要求を行う。このアクセス要求をＭＦＰ１００の操作パネル１５０のＧＵＩ操作によって行うためには、リモートＧＵＩ機能を起動させる必要があるので、ユーザーはそのための操作を行う。ＭＦＰ１００は、このユーザー操作に応じ、クライアントであるＰＣ１８０とリモートＧＵＩ接続を確立する。
動作 (5)：ＭＦＰ１００とのリモートＧＵＩ接続を受けるＰＣ１８０は、ＭＦＰ１００においてリモートアクセスの対象となる各種記憶メディアへのアクセスに備えて、リムーバブルストレージ１２４にドライブ１６０を介して自動接続する。
動作 (6)：ユーザーは、録画したデジタルカメラ３２０に内蔵された記憶メディアをＭＦＰ１００のリムーバブルストレージ１２４とするために、接続手段として設けたスロット１６０ｓにデジタルカメラ３２０をセットする。ここでは、スロット１６０ｓとしてUSBスロットを用いる。
動作 (7)：ユーザーは、USBスロットに接続したデジタルカメラ３２０内蔵の記憶メディアに格納された画像ファイルを対象とするリモートアクセス要求を操作パネル１５０のリモートＧＵＩ画面（ＰＣ１８０のデスクトップ操作画面）で行う。この操作により行うリモートアクセスは、ＰＣ１８０の指定した記憶場所にデジタルカメラ３２０内蔵の記憶メディアから読出した画像ファイルを複製（コピー）するアクセスとなる。
【００２８】
動作 (8)：ユーザーは、ＰＣ１８０における画像ファイルのコピーの完了をリモートＧＵＩ画面で確認した後、USBスロットに接続したデジタルカメラ３２０をスロットから取外す。デジタルカメラ３２０内蔵の記憶メディアのアンロードを受けて、ＰＣ１８０は、リモートアクセス動作を終了する。
動作 (9)：ユーザーは、操作パネル１５０のリモートＧＵＩ画面でＰＣ１８０のリモートアクセス動作の終了を確認して、リモートＧＵＩ機能を切断する操作をＭＦＰ１００の操作パネル１５０から行う。この操作に応じて、ＰＣ１８０とのリモートＧＵＩ接続を切断し、ＰＣ１８０のリムーバブルストレージ１２４への接続を断つ。
動作 (10)：ユーザーは、出先で借用していたカメラ３２０を返却する。
動作 (11)：ユーザーは、オフィスに戻ると、オフィスで使用するＰＣ１８０に出先のＭＦＰ１００で行ったリモートファイルアクセスで、デジタルカメラ３２０内蔵の記憶メディアから読出した画像ファイルが指定した記憶場所にコピーされているので、この画像ファイルを利用することができる。
本案のＭＦＰを利用した上記の動作によって、出先でデジタルカメラ３２０が借用できれば、出先で撮影した画像データをユーザーのＰＣ１８０で用いることができる。
【図面の簡単な説明】
【００２９】
【図１】本発明の画像処理装置の実施形態に係わるＭＦＰのハードソフトウェア構成を示す。
【図２】図１に示したＭＦＰにおけるメインコントローラとして機能する制御基板内のソフトウェア構成を示す。
【図３】クライアントＰＣからサーバＭＦＰに対するリモートアクセスの動作イベントの遷移を示す。
【図４】図３に示した動作シーケンス実行時におけるクライアントＰＣ、サーバＭＦＰ間の情報の流れを示す。
【図５】公開されるストレージのフォルダ構成の１例を示す。
【図６】リモートＧＵＩを起動し、リモートマシンのデスクトップ画面をセットアップする際の操作パネルにおける操作画面の遷移を示す。
【図７】アクセス可能なＭＦＰフォルダのショートカットを追加表示するリモート接続中のデスクトップ画面の説明図である。
【図８】リモートＧＵＩ機能を用いて行うリモートファイルサーバとしてのＭＦＰの利用例 (1) を示す。
【図９】リモートＧＵＩ機能を用いて行うリモートファイルサーバとしてのＭＦＰの利用例 (2) を示す。
【符号の説明】
【００３０】
１００・・ＭＦＰ、１００ｓ・・サーバＭＦＰ、１１０・・メインコントローラとして機能する制御基板、１２０・・ストレージ、１２２・・固定ストレージ、１２４・・リムーバブルストレージ、１２４ｍ・・取外し可能な記憶メディア（リムーバブルメディア）、１３０・・プロッタ／スキャナ制御基板、１３２・・スキャナ、１３４・・プロッタ、１５０・・操作パネル、１７０・・ネットワークＩ／Ｆ、１６０・・リムーバブルドライブ、１６０ｓ・・スロット、１８０・・クライアントＰＣ、２１１・・コピーアプリ、２１５・・リモートＧＵＩ・アプリ、２１６・・リモートファイル・サーバ・アプリ、２２３・・認証モジュール、３１０・・ボイスレコーダ、３２０・・デジタルカメラ。
【図１】
2007336014.tif 000003
【図２】
2007336014.tif 000004
【図３】
2007336014.tif 000005
【図４】
2007336014.tif 000006
【図５】
2007336014.tif 000007
【図６】
2007336014.tif 000008
【図７】
2007336014.tif 000009
【図８】
2007336014.tif 000010
【図９】
2007336014.tif 000011